(57)【要約】【課題】小型化、デザイン上等の理由から、筐体の発光窓の大きさに対して、この筐体内に収納された回路基板上の光源と発光窓との間の間隔が狭くなってしまう場合でも、その光源からの光が発光窓を通過するまでの間に導光体の略全体に広がるようにして、導光体の一部がスポット的に光ってしまうことを防止することができる電子機器を提供する。【解決手段】発光窓１０が形成された筐体４と、前記筐体４内に収納され、前記発光窓１０に対応する位置又は当該位置の近傍に孔部３４が形成された回路基板３２と、前記回路基板３２の前記発光窓１０側の面３２ａとは反対側の面３２ｂ上であって、前記孔部３４の周縁部に配置される光源３６と、前記発光窓１０に設けられる導光体８とを備えた。【選択図】図１
2007149777.tif 000002
【特許請求の範囲】
【請求項１】
発光窓が形成された筐体と、
前記筐体内に収納され、前記発光窓に対応する位置又は当該位置の近傍に開口部が形成された回路基板と、
前記回路基板の前記発光窓側の面とは反対側の面上であって、前記開口部の周縁部に配置される光源と、
前記発光窓に設けられる導光体と
を備えたことを特徴とする電子機器。
【請求項２】
前記光源は、前記回路基板の平面に平行な方向を中心として光を照射することを特徴とする請求項１に記載の電子機器。
【請求項３】
前記回路基板の前記発光窓側の面とは反対側の面上に、前記光源からの光を前記開口部に向けて反射する反射板を設けたことを特徴とする請求項１又は２に記載の電子機器。
【発明の詳細な説明】
【技術分野】
【０００１】
本発明は、例えば携帯電話機やパソコン周辺機器等の筐体を有する電子機器に関し、詳しくはその筐体内部に配置される光源からの光が筐体表面上の発光窓から外側に放射されるような電子機器に関するものである。
【背景技術】
【０００２】
図３は、従来の電子機器２の構造の一部を示す部分断面図であり、同図に示すように、電子機器２は筐体４を備えている。この筐体４は、上側ケース４ａと下側ケース４ｂとを備えて構成されており、この上側ケース４ａと下側ケース４ｂとの間に内部空間を有するようになっている。
【０００３】
そして、電子機器２は、筐体４の表面上に開口する発光窓１０に、透光性を有する、乳白色の樹脂製レンズのような導光体８が嵌合して設けられ、筐体４内に配置されるＬＥＤ（発光ダイオード）６から発する光が、その導光体８内を通って外側に放射されるようになっている。
【０００４】
この従来の電子機器２では、その動作の状態等に応じて、筐体４内のＬＥＤ６が点灯したり点滅したりする。このＬＥＤ６からの光が、筐体４の発光窓１０から外側に放射されるようになっていることにより、ユーザーは発光窓１０を見て、この電子機器２の動作の状態等を把握することができるようになっていた。
【０００５】
筐体４内においてＬＥＤ６は、同じく筐体４内に収納されている回路基板１２の発光窓１０側の窓側面１２ａ上に配置されている。ＬＥＤ６は光を放射状に発するので、このＬＥＤ６の光は、筐体４の発光窓１０を通過するまでの間に発光窓１０の略全体に広がっていく。このため、ユーザーからは、発光窓１０に嵌合して露出する導光体８の表面全体が光って見えるようになっていた。
【０００６】
このような電子機器２の構造と同様の構造は、他の様々な電子機器でも用いられている（例えば、特許文献１及び２参照）。
【特許文献１】特開２００２−１６８９８１号公報
【特許文献２】特開２０００−０９８９２７号公報
【発明の開示】
【発明が解決しようとする課題】
【０００７】
しかしながら、このような従来の電子機器２において、小型化、デザイン上等の理由から、筐体４の発光窓１０の大きさに対して、この発光窓１０と回路基板１２の窓側面１２ａ上のＬＥＤ６との間の間隔が狭くなってしまう場合には、光源としてのＬＥＤ６の光が放射状に発せられても、充分に広がることができないまま発光窓１０から外側に放射されてしまうため、ユーザーからは、発光窓１０から露出する導光体８の表面の一部分のみがスポット的に明るく光り、その周辺が薄暗くなってしまうという問題があった。
【０００８】
そこで本発明は、上記問題点に鑑みて、小型化、デザイン上等の理由から、筐体の発光窓の大きさに対して、この筐体内に収納された回路基板上の光源と発光窓との間の間隔が狭くなってしまう場合でも、その光源からの光が発光窓を通過するまでの間に導光体の略全体に広がるようにして、導光体の一部がスポット的に光ってしまうことを防止することができる電子機器を提供することを課題とするものである。
【課題を解決するための手段】
【０００９】
上記課題を解決するために本発明は、
発光窓が形成された筐体と、
前記筐体内に収納され、前記発光窓に対応する位置又は当該位置の近傍に開口部が形成された回路基板と、
前記回路基板の前記発光窓側の面とは反対側の面上であって、前記開口部の周縁部に配置される光源と、
前記発光窓に設けられる導光体とを備えたことを特徴とするものである。
【００１０】
また、本発明において前記電子機器における前記光源は、前記回路基板の平面に平行な方向を中心として光を照射することを特徴とするものである。
【００１１】
また、本発明において前記電子機器は、前記回路基板の前記発光窓側の面とは反対側の面上に、前記光源からの光を前記開口部に向けて反射する反射板を設けたことを特徴とするものである。
【発明の効果】
【００１２】
このような本発明の電子機器によれば、小型化、デザイン上等の理由から、筐体の発光窓の大きさに対して、この筐体内に収納された回路基板上の光源と発光窓との間の間隔が狭くなってしまう場合でも、その光源からの光が発光窓を通過するまでの間に導光体の略全体に広がるようにして、導光体の一部がスポット的に光ってしまうことを防止することができる。
【発明を実施するための最良の形態】
【００１３】
以下、本発明に係る電子機器の実施の形態について、図面に基づいて具体的に説明する。
【００１４】
図１は、本発明の第１の実施の形態に係る電子機器３０について説明するために参照する図である。この図に示す電子機器３０は、従来の電子機器２と同様の部分には同じ符号を付して説明し、従来と同様の構成についての重複する説明は省略するものとする。
【００１５】
本実施の形態に係る電子機器３０は、筐体４内に回路基板３２を有し、この回路基板３２には、筐体４の発光窓１０に対応する位置又は当該位置の近傍に開口部として、厚さ方向に貫通する孔部３４が形成されている。そして、回路基板３２における発光窓１０側の第１面３２ａとは反対側の第２面３２ｂ上であって、孔部３４の発光窓１０から遠ざかる側の周縁部に、光源としての側面発光式ＬＥＤ３６（発光ダイオード）が配置されている。
【００１６】
上記側面発光式ＬＥＤ３６は、回路基板３２の第２面３２ｂ上に固着される固着面３６ａと直角をなすその側面３６ｂから光を発するように発光素子が設けられていて、第２面３２ｂに平行な方向に側面３６ｂを向けて（すなわち、第２面３２ｂに平行な方向に光の光軸の中心方向Ｄを向けて）、かつ発光窓１０のある方向に側面３６ｂを向けて光を発するように設けられている。側面発光式ＬＥＤ３６は光軸を中心として例えばおよそ±５０゜程の範囲に強い指向特性を有しその範囲を特に強く照射するが、照射角としてはさらに広い一定角度範囲（例えば、およそ±９０゜）に及ぶ。
また、側面発光式ＬＥＤ３６は、その側面３６ｂ側の端部が孔部３４の内側にせり出して配置されている。また、回路基板３２の第２面３２ｂ上には、孔部３４及び側面発光式ＬＥＤ３６の側面３６ｂ側の端部を覆う反射板３８の基端部３８ａが固着されて設けられている。
【００１７】
側面発光式ＬＥＤ３６は、その側面３６ｂから、回路基板３２の面３２ｂに平行な方向を含む上記のような一定角度範囲を照射するようになっており、この照射された光のうち孔部３４側に照射された光は、透光性を有する導光体８に直接入り込むようになっている。
【００１８】
また、側面発光式ＬＥＤ３６から照射された光であって、孔部３４と反対側の方向に照射された光は、反射板３８により孔部３４側に向けて反射されるので、やはり導光体８に入り込むようになっている。
【００１９】
このような本実施の形態に係る電子機器３０によれば、小型化、デザイン上等の理由から、筐体４の発光窓１０の大きさに対して、この発光窓１０と回路基板３２の第１面３２ａとの間の間隔が狭くなってしまう場合でも、回路基板３２に孔部３４を形成すると共に、回路基板３２の第２面３２ｂ上における、孔部３４の発光窓１０から遠ざかる側の周縁部に側面発光式ＬＥＤ３６を配置することにより、側面発光式ＬＥＤ３６と発光窓１０との間の距離を大きくすることができるので、側面発光式ＬＥＤ３６からの光は放射状に拡散して、発光窓１０を通過するまでの間に広く広がることができる。このため、導光体８の一部がスポット的に光ってしまうことを防止することができ、その表面全体が光って見えるようにすることができる。
【００２０】
また、側面発光式ＬＥＤ３６は、回路基板３２の第２面３２ｂに平行な方向を含む一定角度範囲内を照射するようになっていることにより、光は主に前記平行な方向を中心として広く広がることができる。そして、この照射された光のうち孔部３４側に照射された光の大部分は、孔部３４内を回路基板３２の厚さ方向に対して斜め方向に進むようになる。これにより、側面発光式ＬＥＤ３６の光が通過する距離が長くなるので、側面発光式ＬＥＤ３６からの光は、結局発光窓１０を通過するまでの間に広く広がることができる。
【００２１】
また、回路基板３２の第２面３２ｂ上に、孔部３４及び側面発光式ＬＥＤ３６の側面３６ｂ側の一部分を覆う反射板３８を設けたことにより、側面発光式ＬＥＤ３６の光が反射板３８に反射して導光体８に様々な角度で入っていくようになる。このため、側面発光式ＬＥＤ３６の光が効率よく拡散して、発光窓１０を通過するまでの間に広く広がることができる。
【００２２】
このため、導光体８の一部がスポット的に光ってしまうことを防止することができ、その表面全体が光って見えるようにすることができるので、発光窓１０の広い範囲から光が外側に均等に放射されるようにすることができる。また、上記のような反射板３８を設けることにより、それを設けない場合に比べて発光窓１０の明るさをより明るくすることができる。
【００２３】
また、側面発光式ＬＥＤ３６は、文字通りその側面３６ｂから光を発すると共に、回路基板３２の第２面３２ｂに平行方向に、かつ発光窓１０のある方向に光を発するように設けられているので、光をそのような方向に発するようにするための特別の構造が不要となると共に、電子機器３０の構造を簡単にすることができる。
【００２４】
また、回路基板３２における孔部３４は、発光窓１０の導光体８を照らしたい面積に必要なだけの大きさにすることができるので、導光体８が十分照らされるようにすることにより、導光体８の厚さを薄くしても発光窓１０の全面を略均一の明るさで光って見えるようにすることが可能となる。
【００２５】
また、回路基板３２の長さ方向の中央部寄りに側面発光式ＬＥＤ３６を実装し、その発光窓１０側に孔部３４を形成することにより、電子機器３０の耐振性や耐衝撃性を向上させることができる。
【００２６】
図２は、本発明の第２の実施の形態に係る電子機器５０ついて説明するために参照する図である。この図に示す電子機器５０は、前記第１の実施の形態に係る電子機器３０と同様の部分には同じ符号を付して説明するものとする。
【００２７】
本実施の形態に係る電子機器５０は筐体５２を備えており、この筐体５２は、上側ケース５２ａと下側ケース５２ｂとを備えて構成されている。発光窓５４は、下側ケース５２ｂにおける回路基板３２に平行な平板部分に形成されている。
【００２８】
また、電子機器５０は、板状に形成された、前記第１の実施の形態における導光体８と同様の材質の導光体５６を備えている。この導光体５６は、回路基板３２と平行な下側ケース５２ｂの平板部分の発光窓５４に嵌合して、回路基板３２の第１面３２ａに近接する面とは反対側の面が、筐体５２の外側に露出するようになっている。
【００２９】
また、本実施の形態においても、回路基板３２に開口部として孔部３４を形成すると共に、回路基板３２の第２面３２ｂ上における、孔部３４の発光窓１０から遠ざかる側の周縁部に側面発光式ＬＥＤ３６を配置するように構成されている。
上記側面発光式ＬＥＤ３６は、前記第１の実施の形態と同様に、回路基板３２の第２面３２ｂ上に固着される固着面３６ａと直角をなすその側面３６ｂから光を発するように発光素子が設けられていて、第２面３２ｂに平行な方向に側面３６ｂを向けて（すなわち、第２面３２ｂに平行な方向に光の光軸の中心方向Ｄを向けて）光を発するように設けられている。
【００３０】
このような本実施の形態に係る電子機器５０によれば、小型化、デザイン上等の理由から、筐体５２の発光窓５４の大きさに対して、この発光窓５４と回路基板３２の第１面３２ａとの間の間隔が狭くなってしまうと共に、回路基板３２の第１面３２ａに導光体５６が密着してしまうような場合でも、回路基板３２に孔部３４を形成すると共に、回路基板３２の第２面３２ｂ上における、孔部３４の発光窓１０から遠ざかる側の周縁部に側面発光式ＬＥＤ３６を配置することにより、側面発光式ＬＥＤ３６からの光は回路基板３２の第２面３２ｂに沿って照射され、発光窓５４を通過するまでの間に広く広がることができるため、発光窓５４の全体を照らすことができる。このため、導光体５６の一部がスポット的に光ってしまうことを防止することができ、その表面全体が光って見えるようにすることができる。
【００３１】
また、前記第１の実施の形態と同様に、側面発光式ＬＥＤ３６は、回路基板３２の第２面３２ｂに平行な方向を含む一定角度範囲を照射するようになっていることにより、光は主に前記方向を中心として広く広がることができる。そして、この照射された光のうち孔部３４側に照射された光の大部分は、孔部３４内を回路基板３２の厚さ方向に対して斜め方向に進むようになる。これにより、側面発光式ＬＥＤ３６の光が通過する距離が長くなるので、側面発光式ＬＥＤ３６からの光は、結局発光窓５４を通過するまでの間に広く広がることができる。
【００３２】
また、前記第１の実施の形態と同様に、側面発光式ＬＥＤ３６は、文字通りその側面３６ｂから光を発すると共に、回路基板３２の第２面３２ｂに平行かつ発光窓５４のある方向に光を発するように設けられているので、光をそのような方向に発するようにするための特別の構造が不要となると共に、電子機器５０の構造を簡単にすることができる。
【００３３】
また、前記第１の実施の形態と同様に、回路基板３２における孔部３４は、発光窓５４の導光体５６を照らしたい面積に必要なだけの大きさにすることができるので、導光体５６が十分照らされるようにすることにより、導光体５６の厚さを薄くしても発光窓５４の全面を略均一の明るさで光らすことが可能となる。
【００３４】
また、前記第１の実施の形態と同様に、回路基板３２の長さ方向の中央部寄りに側面発光式ＬＥＤ３６を実装し、その発光窓５４側に孔部３４を形成することにより、電子機器５０の耐振性や耐衝撃性を向上させることができる。
【００３５】
なお、前記第１の実施の形態に係る電子機器３０では、回路基板３２の第２面３２ｂ上に反射板３８を設けたが、この反射板３８は設けないようにしてもよい。
【００３６】
また、前記第２の実施の形態に係る電子機器５０では、前記第１の実施の形態に係る電子機器３０の反射板３８に該当するようなものは設けていなかったが、このような反射板を回路基板３２の第２面３２ｂ上に設けるようにしてもよいことはいうまでもない。
【００３７】
また、前記第１及び第２の実施の形態に係る電子機器３０，５０では、光源として側面部から発光する側面発光式ＬＥＤ３６を用いたが、その代わりに上面部から発光する正面発光式のＬＥＤを用いるようにしてもよい。この場合はＬＥＤの上面を、回路基板３２の第２面３２ｂと直角の方向に向けて取付ければよい。また、側面発光式ＬＥＤ３６の代わりに、ＬＥＤ（発光ダイオード）以外の他の種類の光源を用いるようにしてもよいことはいうまでもない。
【００３８】
また、開口部として孔部３４を例示したが、切り欠き等の他の構成に置換えてもよく、要は発光窓１０と光源との間を回路基板３２によって遮光されないようになっていればよいのであって、本発明において開口部は孔部３４に限定されるものではない。
【図面の簡単な説明】
【００３９】
【図１】本発明の第１の実施の形態に係る電子機器３０の構造を示す図であって、筐体４、導光体８、回路基板３２、及び側面発光式ＬＥＤ３６を示す部分断面図である。
【図２】本発明の第２の実施の形態に係る電子機器５０の構造を示す図であって、筐体５２、導光体５６、回路基板３２、及び側面発光式ＬＥＤ３６を示す部分断面図である。
【図３】従来の電子機器２の構造を示す図であって、筐体４、ＬＥＤ６、導光体８、及び回路基板１２を示す部分断面図である。
【符号の説明】
【００４０】
２  電子機器
４  筐体
４ａ  上側ケース
４ｂ  下側ケース
６  ＬＥＤ
８  導光体
１０  発光窓
１２  回路基板
１２ａ  発光窓側の面
３０  電子機器
３２  回路基板
３２ａ  第１面
３２ｂ  第２面
３４  孔部（開口部）
３６  側面発光式ＬＥＤ
３６ａ  固着面
３６ｂ  側面
３８  反射板
３８ａ  基端部
５０  電子機器
５２  筐体
５２ａ  上側ケース
５２ｂ  下側ケース
５４  発光窓
５６  導光体
【図１】
2007149777.tif 000003
【図２】
2007149777.tif 000004
【図３】
2007149777.tif 000005